(57)【要約】【課題】疑似皮膚に十分な張りを与えて保持できると共に、最も容易にその着脱が可能な縫合シミュレーション用疑似皮膚装具を提供する。【解決手段】円弧状面をなす支持体２とその上面の一部を被う枠縁状の抑え枠３とからなり、抑え枠３の一端を支持体２に枢着すると共に他端を支持体２に装着した掛止具６により緊締自由且つ、支持体２と抑え枠３との間に疑似皮膚１０を直接或いはゴムマットを介して挟持するようにしてなる。【選択図】図１
0003121858.tif 000002
【実用新案登録請求の範囲】
【請求項１】
円弧状面をなす支持体２とその上面に沿わせる枠縁状の抑え枠３とからなり、抑え枠３の一端を支持体２に枢着すると共に他端を支持体２に装着した掛止具６により緊締するようにし、支持体２と抑え枠３との間で疑似皮膚１０の周縁部を介在挟持するようにしたことを特徴とする縫合シミュレーション用疑似皮膚装具。
【請求項２】
疑似皮膚１０の下側にゴムマット１１を介在させることを特徴とする請求項１記載の縫合シミュレーション用疑似皮膚装具。
【請求項３】
抑え枠３の対向直縁内側に折り曲げ辺４、４′の何れかを設けたことを特徴とする請求項１記載の縫合シミュレーション用疑似皮膚装具。
【請求項４】
掛止具６を支持体２の前後および左右に設置したことを特徴とする請求項１記載の縫合シミュレーション用疑似皮膚装具。
【考案の詳細な説明】
【技術分野】
【０００１】  本考案は、医療研修の現場で疑似皮膚を縫合シミュレーションする際に使用する疑似皮膚装具に関する。
【背景技術】
【０００２】  ファンデーション色選択ツールをはじめとする疑似皮膚モデルに皮膚の色、つや、きめなどの質感を十分に再現させる手段として、表面に皮膚様凹凸が形成された疑似皮膚モデルを、高分子材料とその中に分散された顔料とから構成し、しかも超音波振動式感覚測定により得られる表面の周波数変化の値が一定値を満足すようにした発明がある（例えば、特許文献１参照。）。【０００３】  また、より人間の皮膚に近い外観と質感を有する人工皮膚モデルについては、相対的に耐久力が高く伸びの大きな第一のウレタン樹脂としてポリウレタンエラストマーを用い、内部に肌の色を表す着色剤層を挟み込んだ表面層と、第一のウレタン樹脂より相対的に軟質な第二のウレタン樹脂としてセグメント化ポリウレタンエラストマーで形成される基層とよりなる人工皮膚モデルについての発明がある（例えば、特許文献２参照。）。【０００４】  他に、物性が現実の人間等の生物の皮膚に近く、メーキャップ化粧料の評価を直接的に行うことが可能な人工皮膚について、人工皮膚の表面を形成するウレタン系高分子を主成分とする皮膜と、ウレタン系高分子を主成分として人工皮膚の内部を形成する疑似肉質部分とを積層してなり、かつその表面形状が生物の皮膚表面の凹凸を再現した形状である人工皮膚を提供する発明がある（例えば特許文献３参照。）。【０００５】
【特許文献１】特開平０９−５６４６８（疑似皮膚モデル及びその製造方法並びにファンデーション色選択ツール）
【特許文献２】特開平１１−９３３９（人工皮膚モデルおよびその製造方法）
【特許文献３】特開平１１−１６９３９０（人工皮膚）
【考案の開示】
【考案が解決しようとする課題】
【０００６】  人工皮膚（以下疑似皮膚と言う）に十分な張りを与えて保持できると共に、最も容易にその着脱が可能な縫合シミュレーション用疑似皮膚装具を提供する。
前記従来例の特許文献１、２及び３の何れの場合とも本考案のように疑似皮膚を如何にしてシミュレーション用の支持体に取着保持させるかを課題するものとはその目的が全く相違する。
【考案が解決するための手段】
【０００７】  疑似皮膚を支持体の表面に被せ、支持体の片方に開閉自由に枢設した抑え枠で疑似皮膚の周辺部を抑止し、抑え枠の他端を支持体上に対設した掛止具により引き留めることにより疑似皮膚に張りを持たせて保持するようにしてなる。
【０００８】  また疑似皮膚と支持体との間にゴム製のマットを介在させて疑似皮膚を保持することにより疑似皮膚に弾力性を付与して現実感を再現させる。
【考案の効果】
【０００９】  弾力的で柔らかくしかも縫合時に生体皮膚に近い触感を得ることができる。また簡単に疑似皮膚を表裏反転して使用することが容易である。
【考案を実施するための最良の形態】
【００１０】  支持体の表面を曲面に構成し、ゴム製マットを介し或いは直接疑似皮膚を抑止するようにしてなる。【００１１】  図１は本考案の疑似皮膚装具１の正面図を示し、図２は同上図１の右側面図である。図１、２に於いて疑似皮膚装具１を構成する支持体２の上面は半円柱面或いは半円筒面を形成しており、支持体２の曲面上に円弧状の抑え枠３をその一端両方に対設した取付片５の部分で軸５′によって回動自由に枢設している。【００１２】  また、前記抑え枠３は図３の平面図に示すように方形の縁枠状をなし、疑似皮膚１０の周縁部分を抑え枠３によって抑止するが、抑え枠３の湾曲端縁略中央部（図２）に掛止フック９、９を対設しており、更に該掛止フック９、９と相対する支持体２の側面部に掛止具６を夫々設置して、夫々の掛止リング８を前記フック９、９に係合した後、夫々の緊締レバー７、７を下向きに倒すことにより抑え枠３を支持体２に向かって確実に引き留めるようにしている。【００１３】  更に上記抑え枠３の直線部内縁には支持体２に向かって僅かに屈曲した折り曲げ辺４、４′を設け、疑似皮膚を確実に抑止するようにしている。
尚、支持体２にある程度重量感を持たせることは縫合シミュレーションの際に全体が安定して動作を容易にする効果がある。反面、余りにも重くなり過ぎて扱い難い場合は内部の肉を適当に取り除き中空半円筒状にして軽量化を図るものとする。【００１４】  図２で点線で示したように抑え枠３を支持体２から開い状態にしておき、疑似皮膚１０を支持体２上に被せた後、抑え枠を閉じ掛止具６を締めれば、抑え枠３は軸５′を中心に回動し軸５′に近い部分の折り曲げ辺４′は支持体２の円周面と略々直角方向に抑止力が働くが、軸５′より遠い部分の折り曲げ辺４は概ね支持体２の円周に沿った（平行に近い）方向に力が作用し、疑似皮膚１０は両折り曲げ辺４、４′によって引っ張られるように力が作用し皮膚に十分な張りを与えることができる。【００１５】  上記は掛止具６を抑え枠３の円弧状の両端縁部に対応して設けた場合を示しているが、これに限るものではなく、支持体２の円周上（図６）に一個又は二個を並列設置しても良く、また、抑え枠３の三方（図７）に対応設置しても良いことは云うまでもない。【００１６】  他に、皮膚１０の下側にゴムマット１１を敷設することによって更に疑似皮膚の触感を一層生体に近づけることができる。【００１７】  本考案は以上のように構成されるので、疑似皮膚の張り替え或いは表裏反転が一層容易で、しかも、弛みを伴うことなく張り替えが可能である。
【図面の簡単な説明】
【００１８】
【図１】本考案の疑似皮膚支持体正面図
【図２】同上右側面図
【図３】図１の平面図
【図４】背面図
【図５】図１Ａ−Ａ断面図
【図６】他の実施例を示す正面図
【図７】図６の他の実施例を示す正面図
【符号の説明】
【００１９】１  疑似皮膚装具
２  支持体
３  抑え枠
４  折り曲げ辺
４′折り曲げ辺
５  取付片
５′軸
６  掛止具
７  緊締レバー
１０  疑似皮膚
１１  ゴムマット
【図１】
0003121858.tif 000003
【図２】
0003121858.tif 000004
【図３】
0003121858.tif 000005
【図４】
0003121858.tif 000006
【図５】
0003121858.tif 000007
【図６】
0003121858.tif 000008
【図７】
0003121858.tif 000009